【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するステップであって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
ステップと、
前記UEから前記BSに、前記UEと前記BSとの間で通信される各DL中心サブフレームおよび各UL中心サブフレームにおいて共通アップリンク(UL)バーストを送信するステップであって、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含む、ステップと、
前記UEから、前記UEと前記BSとの間で通信される少なくとも1つのサブフレームの少なくとも1つの共通ULバーストで、スケジュールされたULペイロードデータを送信するステップであって、前記UEに利用可能なULパワーヘッドルームに基づいて物理アップリンク共有チャネル(PUSCH)データを送信するステップを含む、ステップと
を含む、方法。
【請求項２】
前記DL中心サブフレームおよび前記UL中心サブフレームが、時分割複信(TDD)サブフレームである、請求項1に記載の方法。
【請求項３】
前記UEにおいて、前記サブフレームの物理ダウンリンク共有チャネル(PDSCH)上で送信されるダウンリンク(DL)データを受信するステップと、
前記DLデータに応答して前記UEから、前記サブフレームの前記共通ULバーストで前記PHY ACKを送信するステップと
をさらに含む、請求項1に記載の方法。
【請求項４】
DLバーストが前記UEに送信される前に、前記UEによって、前記サブフレームの前記共通ULバースト内で前記SRSを送信するステップ
をさらに含む、請求項1に記載の方法。
【請求項５】
前記UEによって、前記BSに前記少なくとも1つの共通ULバーストで前記スケジュールされたULペイロードデータの送信の要求を送信するステップと、
をさらに含む、請求項1に記載の方法。
【請求項６】
前記UEから、ダウンリンク(DL)中心サブフレーム内の別の共通ULバーストの別のUEからの送信と同時に、UL中心サブフレーム内で前記共通ULバーストを送信するステップと、
前記UEから、UL中心サブフレーム内の別の共通ULバーストの別のUEからの送信と同時に、ダウンリンク(DL)中心サブフレーム内で前記共通ULバーストを送信するステップと
をさらに含む、請求項1に記載の方法。
【請求項７】
別のUEによって、別のPDCCHおよび別の共通ULバーストを有するUL中心サブフレームを通信するのと同時に、前記UEによって、物理ダウンリンク制御チャネル(PDCCH)および前記共通ULバーストを有するダウンリンク(DL)中心サブフレームを通信するステップ
をさらに含む、請求項1に記載の方法。
【請求項８】
装置であって、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するための手段であって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
手段と、
別の装置に、前記装置と前記別の装置との間で通信される各DL中心サブフレームおよび各UL中心サブフレームにおいて共通アップリンク(UL)バーストを送信するための手段
を備え、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含み、前記送信するための手段が、
前記装置と前記別の装置との間で通信される少なくとも1つのサブフレームの少なくとも1つの共通ULバーストで、スケジュールされたULペイロードデータを送信することであって、前記スケジュールされたULペイロードデータが、前記装置に利用可能なULパワーヘッドルームに基づいて物理アップリンク共有チャネル(PUSCH)データを送信することを含む、送信することを行う
ようにさらに構成される、装置。
【請求項９】
プログラムコードを記録したコンピュータ可読記録媒体であって、前記プログラムコードが、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するようにするためのコードであって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
コードと、
ユーザ機器(UE)が基地局(BS)に、前記UEと前記BSとの間で通信される各DL中心サブフレームおよび各UL中心サブフレームにおいて共通アップリンク(UL)バーストを送信するようにするためのコードであって、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含む、コードと、
前記UEが、前記UEと前記BSとの間で通信される少なくとも1つのサブフレームの少なくとも1つの共通ULバーストで、スケジュールされたULペイロードデータを送信するようにするためのコードであって、前記UEが、前記UEに利用可能なULパワーヘッドルームに基づいて物理アップリンク共有チャネル(PUSCH)データを送信するようにするためのコードを含む、コードと
を含む、コンピュータ可読記録媒体。
【請求項１０】
ワイヤレス通信のための方法であって、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するステップであって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
ステップと、
基地局(BS)においてユーザ機器(UE)から、前記UEと前記BSとの間で通信される各DL中心サブフレームおよび各UL中心サブフレームにおいて共通アップリンク(UL)バーストを受信するステップであって、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含む、ステップと、
前記BSにおいて、前記UEと前記BSとの間で通信される少なくとも1つのサブフレームの少なくとも1つの共通ULバースト内でULペイロードデータを受信するステップであって、前記UEのパワーヘッドルームに基づいて物理アップリンク共有チャネル(PUSCH)データを受信するステップを含む、ステップと
を含む、方法。
【請求項１１】
前記BSにおいて、前記サブフレームの前記共通ULバーストで前記SRまたは前記BSRのうちの少なくとも1つを受信するステップと、
前記BSによって、前記SRまたは前記BSRのうちの前記少なくとも1つに基づいてダウンリンク(DL)データの送信をスケジュールするステップと
をさらに含む、請求項10に記載の方法。
【請求項１２】
前記BSにおいて、前記UEから前記ULペイロードデータの送信の要求を受信するステップであって、前記UEの前記パワーヘッドルームまたは前記BSに関連するリソースの利用可能性のうちの少なくとも1つに基づいて物理アップリンク共有チャネル(PUSCH)データを受信するステップと、
前記要求に応答して前記BSによって、前記UEのパワーヘッドルームまたは前記BSに関連するリソースの利用可能性のうちの少なくとも1つに基づいて前記ULペイロードデータの送信をスケジュールするステップと
をさらに含む、請求項10に記載の方法。
【請求項１３】
トラフィックに基づいて前記BSによって、スケジュールされたUL中心サブフレームの通信を物理ダウンリンク制御チャネル(PDCCH)および前記共通ULバーストを有するダウンリンク(DL)中心サブフレームの通信に切り替えるステップと、
別のBSによって、別のPDCCHおよび別の共通ULバーストを有する別のUL中心サブフレームを通信するのと同時に、前記BSによって、前記PDCCHおよび前記共通ULバーストを有する前記DL中心サブフレームを通信するステップと
をさらに含む、請求項10に記載の方法。
【請求項１４】
装置であって、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するための手段であって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
手段と、
別の装置から、前記別の装置と前記装置との間で通信される各DL中心サブフレームおよび各UL中心サブフレームにおいて共通アップリンク(UL)バーストを受信するための手段
を備え、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含み、前記受信するための手段が、
前記別の装置と前記装置との間で通信される少なくとも1つのサブフレームの少なくとも1つの共通ULバースト内でULペイロードデータを受信することであって、前記別の装置のパワーヘッドルームに基づいて物理アップリンク共有チャネル(PUSCH)データを受信すること含む、受信することを行う
ようにさらに構成される、装置。
【請求項１５】
プログラムコードを記録したコンピュータ可読記録媒体であって、前記プログラムコードが、
ダウンリンク(DL)中心サブフレームおよびアップリンク(UL)中心サブフレームに組み込まれた同じ構造を有する共通ULバーストを用いて、DL中心サブフレームおよびUL中心サブフレームにわたってユーザ機器(UE)と基地局(BS)との間で通信するようにするためのコードであって、
DL中心サブフレームは、前記共通ULバーストの継続時間よりも長い継続時間を有するDLバーストを備え、
UL中心サブフレームは、ULバーストの継続時間よりも短い継続時間を有するDLバーストを備える、
コードと、
基地局(BS)が、ユーザ機器(UE)から、前記UEと前記BSとの間で通信される各DL中心サブフレームおよび各UL中心サブフレームにおいて共通アップリンク(UL)バーストを受信するようにするためのコードであって、
前記共通ULバーストが、物理レイヤ(PHY)肯定応答(ACK)、スケジューリング要求(SR)、バッファステータス報告(BSR)、またはサウンディング基準信号(SRS)のうちの少なくとも1つを含む、コードと、
前記BSが、前記UEと前記BSとの間で通信される少なくとも1つのサブフレームの少なくとも1つの共通ULバースト内でULペイロードデータを受信するようにするためのコードであって、前記BSが、前記UEのパワーヘッドルームに基づいて物理アップリンク共有チャネル(PUSCH)データを受信するようにするためのコードを含む、コードと
を含む、コンピュータ可読記録媒体。